(57)【特許請求の範囲】
【請求項１】
本体内に陳列室を構成し、該陳列室内に商品陳列用の棚部材を架設して成るショーケースにおいて、
前記棚部材は、枠部材と、該枠部材上に取り付けられた棚板と、前部に設けられたガード部材とを備え、
前記枠部材は、前側から両側方まで連続する透孔にて縁取られた係合辺を有すると共に、
前記棚板は、下方に突出し、内部に係合孔が形成された係合突起を有し、
当該係合突起を前記透孔に挿入し、前記棚板を後方に移動させることで前記係合辺を前記係合孔に係脱可能に係合させ、その状態で前記ガード部材と仕切保持前金具を前記枠部材と棚板前端間に構成される間隔内に挿脱可能に略隙間無く挿入したことを特徴とするショーケース。
【発明の詳細な説明】
【０００１】
【発明の属する技術分野】
本発明は、陳列室内に架設した棚部材上に缶飲料やペットボトル入り飲料等の商品を陳列して成るショーケースに関するものである。
【０００２】
【従来の技術】
従来よりスーパーマーケットやコンビニエンスストア等の店舗には、例えば特開平６−１６５７２１号公報（Ａ４７Ｆ３／０４）に示される如きショーケースが設置されている。このショーケースは、本体内に商品陳列用の棚部材を備え、この棚部材にはコードヒータ（電気ヒータ）が取り付けられている。そして、棚部材上には缶コーヒー等の商品を載置し、コードヒータにて加熱する構造とされていた。
【０００３】
【発明が解決しようとする課題】
ここで、このようなショーケースの棚部材は通常枠部材とこの枠部材上に取り付けられた棚板とから構成されるが、従来ではこの棚板を枠部材にネジ止めする構造であったため、組立作業性が極めて悪いものであった。また、特に上述の如き電気ヒータを棚板に取り付けた場合などには、この棚板の交換などのメンテナンスが必要となるが、このメンテナンス作業性も煩雑なものであった。
【０００４】
本発明は、係る従来の技術的課題を解決するために成されたものであり、ショーケースの棚部材の組立作業性を改善することを目的とする。
【０００５】
【課題を解決するための手段】
本発明のショーケースは、本体内に陳列室を構成し、この陳列室内に商品陳列用の棚部材を架設して成るものであって、棚部材は、枠部材と、この枠部材上に取り付けられた棚板と、前部に設けられたガード部材とを備え、枠部材は、前側から両側方まで連続する透孔にて縁取られた係合辺を有すると共に、棚板は、下方に突出し、内部に係合孔が形成された係合突起を有し、当該係合突起を透孔に挿入し、棚板を後方に移動させることで係合辺を係合孔に係脱可能に係合させ、その状態でガード部材と仕切保持前金具を枠部材と棚板前端間に構成される間隔内に挿脱可能に略隙間無く挿入したことを特徴とする。
【０００６】
本発明によれば、本体内に陳列室を構成し、この陳列室内に商品陳列用の棚部材を架設して成るショーケースにおいて、棚部材は、枠部材と、この枠部材上に取り付けられた棚板と、前部に設けられたガード部材とを備え、枠部材は、前側から両側方まで連続する透孔にて縁取られた係合辺を有すると共に、棚板は、下方に突出し、内部に係合孔が形成された係合突起を有し、当該係合突起を透孔に挿入し、棚板を後方に移動させることで係合辺を係合孔に係脱可能に係合させ、その状態でガード部材と仕切保持前金具を枠部材と棚板前端間に構成される間隔内に挿脱可能に略隙間無く挿入する構造としたので、ネジなどの格別な固定具を用いること無く、棚板を枠部材に取り付けることができるようになる。
【０００７】
そして、その取り付け、取り外し操作も容易であるので、ショーケースの棚部材の組立作業やメンテナンス作業性を著しく改善することができるようになるものである。
【０００８】
【発明の実施の形態】
以下、図面に基づき本発明の実施形態を詳述する。図１は本発明を適用する実施例のショーケース１の縦断側面図、図２はショーケース１の棚部材２の平面図、図３は棚部材２の正面図、図４は棚部材２の側面図をそれぞれ示している。各図において、ショーケース１は例えばコンビニエンスストアの店舗内に設置される冷・温切替式のオープンショーケースであり、断面略コ字状の断熱壁３とその両側に取り付けられた側板４とから前面に開口する本体６が構成されている。
【０００９】
断熱壁３の内側には間隔を存して仕切壁７が取り付けられ、これら仕切壁７と断熱壁３間にダクト８が構成されると共に、仕切壁７の内側に前面に開口した陳列室９が構成されている。陳列室９（本体６）の前面開口の上下縁には吐出口１１と吸込口１２が構成されてダクト８に連通しており、ダクト８内には図示しない冷却装置の冷却器１３と送風機１４とが配設されている。
【００１０】
そして、冷蔵運転時には冷却装置が運転されて冷却器１３が冷却作用を発揮し、この冷却器１３と熱交換した冷気が送風機１４によりダクト８内を吹き上げられる。ダクト８内を冷却器１３からダクト８内を上昇した冷気は、開口上縁の吐出口１１から開口に向けて吐出され、下縁の吸込口１２からダクト８内に吸い込まれる循環を行う。これにより、陳列室９の前面開口には冷気エアーカーテンが構成されると共に、一部の冷気は陳列室９内に循環して所定の冷蔵温度に冷却されることになる。
【００１１】
一方、陳列室９内には上下複数段の商品陳列用の棚部材２・・・（実施例では７段）が架設され、各棚部材２上には缶飲料やペットボトル入り飲料等の商品が載置されて陳列される。図１の状態で各棚部材２・・・は前側が低く傾斜して架設されており、これにより、最も手前の商品が取り出されると、その列の後方の商品が順次前方に移動する構成とされている。また、各棚部材２・・・は棚段数や棚間隔を変更するため、ブラケット（支持部材）１６と図示しない支柱との係合により着脱自在の構成とされている。更に、棚部材２・・・はブラケット１６に対してそれぞれ前方に引出自在とされ、図１の如く陳列室９内に押し込まれて保持された状態と、商品補充時に後述する如く前面開口から手前側に引き出された状態とに保持可能とされている。
【００１２】
棚部材２は、枠部材２１とこの枠部材２１上に取り付けられ、商品を載置するための棚板２２等から構成されている。そして、この棚板２２は金属板から成り、その下面には図示しない電気ヒータが取り付けられている。そして、温蔵運転時には（前記冷却装置は停止）この電気ヒータが発熱して棚板２２上の商品を加熱保温する。
【００１３】
他方、前記ブラケット１６の後端には係合爪２３が形成されており、この係合爪２３を陳列室９内の左右に上下に渡って取り付けられた図示しない支柱の係合孔に係脱自在に係合させることで、ブラケット１６は陳列室９内の所定の高さの位置に左右一対ずつ取り付けられる。そして、これら一対のブラケット１６、１６それぞれの外面に引出レール２４の固定側２４Ａが前後に渡って取り付けられ、左右で対を成す。尚、これら引出レール２４、２４はブラケット１６が支柱に取り付けられた状態で図４の如く水平状態にある。
【００１４】
また、左右一対のブラケット１６、１６それぞれの内側には角度調整部材２６が取り付けられ、これも左右で対を成す。そして、これらブラケット１６及び角度調整部材２６により棚部材２の支持部材が構成される。この角度調整部材２６の上端は外側に折曲されて摺動面又は傾斜面としてのフランジ２６Ａとされており、角度調整部材２６の前部はブラケット１６に回動可能に固定され、後部は化粧ビスにてブラケット１６に固定される。
【００１５】
この場合、ブラケット１６の後部には上下に三カ所の角度調整用孔２７Ａ、２７Ｂ、２７Ｃが形成されており、角度調整部材２６の後部には取付孔２８が形成されている。そして、図４の如く最も下方の角度調整用孔２７Ａに取付孔２８を合致させ、図示しない化粧ビスで角度調整部材２６をブラケット１６に固定した状態で、角度調整部材２６のフランジ２６Ａは水平となる。また、図７の如く上から２番目の角度調整用孔２７Ｂに取付孔２８を合致させて固定した状態では、角度調整部材２６のフランジ２６Ａは角度９度で前方に低く傾斜し、最も上の角度調整用孔２７Ｃに取付孔２８を合致させて固定した状態では、角度調整部材２６のフランジ２６Ａは角度１１度で前方に低く傾斜するように構成されている。
【００１６】
更に、この角度調整部材２６の前端部にはストッパー２９が取り付けられている。このストッパー２９は図４の如く押し込まれた状態の棚部材２を保持するために上側に鉤状となった形状を呈して前方に突出している。枠部材２１の左右端はブラケット１６、１６の外側において下方に折曲され、降下辺３１、３１が形成されており、この降下辺３１、３１の内側に前記引出レール２４、２４の可動側２４Ｂがそれぞれ取り付けられる。
【００１７】
この場合、引出レール２４の可動側２４Ｂの前部には図６に示す如き断面略門型の軸金具３２が取り付けられている。この軸金具３２の中央には回動軸３３が設けられ、この回動軸３３が可動側２４Ｂに回動自在に係合取り付けられ、その左右のネジ孔３４、３４が枠部材２１の降下辺３１の前部内側にネジ止めされる。これにより、枠部材２１の前部は単一の回動軸３３を中心として引出レール２４の可動側２４Ｂに回動自在に枢支されている。
【００１８】
他方、枠部材２１の後部は前記角度調整部材２６上端のフランジ２６Ａ上に摺動自在に載置される。この場合、枠部材２１の降下辺３１の後部内面には、浮き上がり防止部材３６（図４）が取り付けられており、この浮き上がり防止部材３６は角度調整部材２６のフランジ２６Ａと引出レール２４間の間隔に進入している。これにより、枠部材２１（棚部材２）の後部が上方に浮き上がることが防止される。
【００１９】
以上の構成で、角度調整部材２６の取り付け位置を図４の如くした場合、フランジ２６Ａは水平となる。そして、棚部材２を陳列室９内に押し込んだ状態でストッパー２９は枠部材２１の前縁部に係脱自在に係合するので、棚部材２は陳列室９内に水平に架設される（図４）。この状態で商品を補充する際などには、ストッパー２９と枠部材２１との係合を解除すれば、引出レール２４によって棚部材２を水平状態のまま手前に引き出すことができる（図５）。このとき、枠部材２１の後部はフランジ２６Ａ上を摺動して移動する。そして、商品補充後は棚部材２を押し込めば、再びストッパー２９が枠部材２１の前縁部に係合するので、棚部材２は陳列室９内に水平に架設される。
【００２０】
他方、角度調整部材２６の取り付け位置を図７の如くした場合、フランジ２６Ａは角度９度で手前に低く傾斜する。そして、棚部材２を陳列室９内に押し込み、ストッパー２９を枠部材２１の前縁部に係合させれば、棚部材２は陳列室９内に角度９度で手前に低く傾斜して架設されることになる（図７）。この状態では、棚板２２上の手前側の商品が取り出されると、その列の後ろ側の商品が傾斜により自重で前方にスライドすることになる。従って、缶飲料やペットボトル入り飲料などの陳列販売には極めて好適となる。
【００２１】
この状態で商品を補充する際などには、前述同様にストッパー２９と枠部材２１との係合を解除すれば、引出レール２４によって棚部材２を手前に引き出すことができる。このとき、棚部材２の枠部材２１の前部は回動軸３３により引出レール２４に回動自在に枢支されており、後部は角度調整部材２６のフランジ２６Ａに摺動自在に枢支されている。そして、引出レール２４は水平状態とされているので、棚部材２が手前に引き出されるに従って枠部材２１の後部はフランジ２６Ａの傾斜に沿って徐々に降下し（このとき枠部材２１は回動軸３３を中心として図８中時計回りに回動する）、最終的には略水平状態となる（図８）。これにより、水平状態で棚板２２上の奥に商品を容易に補充できるようになる。
【００２２】
そして、商品補充後は棚部材２を押し込めば、今度は枠部材２１の後部がフランジ２６Ａに沿って徐々に上昇するので、最終的に再びストッパー２９が枠部材２１の前縁部に係合した段階で、棚部材２は元通り陳列室９内に角度９度で手前に傾斜して架設されることになる。
【００２３】
このとき、前述の如く枠部材２１の降下辺３１の後部には浮き上がり防止部材３６が取り付けられているので、係る動作中に棚部材２の後部が浮き上がることはない。また、枠部材２１の前部は単一の回動軸３３を中心として引出レール２４に回動自在に枢支されているので、引出レール２４を含むブラケット１６及び棚部材２の全体としての高さ寸法が最小限に抑制されるようになり、陳列室９内の有効容積の拡大、若しくは、棚部材２の段数の増加を実現することが可能となる。
【００２４】
尚、以上の動作は前述の如く角度調整部材２６の取り付け位置を角度１１度とした場合にも同様に行われる。その際は棚部材２は陳列室９内に角度１１度で架設されることになるが、ストッパー２９が角度調整部材２６の前端部に取り付けられていることにより、何れの角度の場合にも、押し込められた状態における枠部材２１に対するストッパー２９の角度は変わらなくなる。これにより、何れの架設角度においても棚部材２はストッパー２９により陳列室９内に確実に保持されることになる。
【００２５】
次に、上記棚部材２の構造について詳述する。前述の如く棚部材２は、枠部材２１とこの枠部材２１上に取り付けられて商品が載置される棚板２２等から構成されているが、枠部材２１上の前部には更にガード部材を構成する透明な棚ガード３７と仕切保持前金具３８が左右全幅に渡って設けられる。また、棚板２２の後端部には仕切保持後金具３９が左右全幅に渡って固定され、更にその直前に隣接して案内金具４１が何れも左右全幅に渡って固定されている。
【００２６】
ここで、枠部材２１の左右の上面前後には図１１に示す如き略コ字状の透孔４２・・・が穿設され、これら透孔４２・・・内には係合辺４３がそれぞれ形成されている。この場合、各係合辺４３・・・は前側から左右両側を透孔４２により縁取られている。一方、各係合辺４３（透孔４２）・・・に対応する位置の棚板２２には、図１０、図１１の如く下方に突出する係合突起４４・・・が４カ所切り起こし形成されており、各係合突起４４・・・には矩形状の被係合部としての係合孔４６が穿設されている。
【００２７】
そして、枠部材２１に棚板２２を取り付ける際には、先ず棚ガード３７及び仕切保持前金具３８が無い状態で、棚板２２を枠部材２１上に載置し、各係合突起４４・・・を各透孔４２内にそれぞれ挿入する（図９）。次に、棚板２２を後方に移動させ、係合辺４３を係合孔４６内に係脱自在に係合させる。これによって、棚板２２は上方及び後方への移動が阻止される。
【００２８】
この状態で、枠部材２１と棚板２２前端間には間隔があり、次にこの間隔内に棚ガード３７及び仕切保持前金具３８を略隙間無く、挿脱可能に挿入する（図１２）。これによって、ネジなどの格別な取付具を使用すること無く、棚板２２を簡単に枠部材２１上に固定することができる。尚、棚板２２を取り外す作業は上述の逆の手順となり、棚ガード３７、仕切保持前金具３８を取り外してから棚板２２を前方に移動させ、持ち上げればよい。
【００２９】
また、仕切保持前金具３８には左右に渡り複数の挿入孔４７・・・が所定の間隔で穿設されている。各挿入孔４７は図１５、図１６に示すように後方及び上方に開放している。また、仕切保持後金具３９にも左右に渡り複数の挿入孔４８・・・が所定の間隔で穿設されている。これら挿入孔４７・・・と挿入孔４８・・・は棚部材２の前後に位置して相互に対応している。
【００３０】
更に、案内金具４１には上から切り込まれた略Ｕ字状のガイド溝４９・・・が左右に渡り所定の間隔で複数形成されており、各ガイド溝４９・・・は仕切保持後金具３９の各挿入孔４８・・・の直前にそれぞれ隣接して対応している。そして、５１は棚板２２上を左右に仕切るためのステンレス製仕切棒であり、前述の挿入孔４７、４８及びガイド溝４９はこの仕切棒５１が進入可能な寸法を有している。
【００３１】
そして、仕切棒５１を棚部材２に取り付ける際には、先ず、仕切棒５１の後部をガイド溝４９内に上から挿入する（図１６の最も左側の状態）。その状態で仕切棒５１を後方に押し込むことにより、挿入孔４８内に後端部を挿入する（図１６の左から２番目の状態）。次に、仕切棒５１の前端部を挿入孔４７の上面の開口に上から挿入し（図１６の右から２番目の状態）、最後に仕切棒５１を前方に移動させる（図１６の最も右側の状態）。この状態で仕切棒５１の前後は仕切保持前金具３８と仕切保持後金具３９とに保持され、棚板２２から上方に所定の間隔を存して当該棚板２２上を左右に仕切る（図１７）。
【００３２】
ここで、従来では棚部材２の前後に単に孔を形成して仕切棒５１の前後端部を挿入していたが、その場合には、図１３に５１Ａで示すように仕切棒５１を撓ませる必要があった。また、細い仕切棒５１に合わせて孔も小径であるため、挿入作業は極めて面倒となっていた。
【００３３】
一方、上記構造によれば先ず後側の挿入孔４８に仕切棒５１の後端部を挿入する際、ガイド溝４９に沿って真っ直ぐ後方に挿入できるようになるので、挿入作業が極めて容易となる。また、前側の挿入孔４７に仕切棒５１の前端部を挿入する際にも、挿入孔４７は後方及び上方に開放しているので、上から挿入でき、撓ませること無く、極めて容易に挿入できるようになる。
【００３４】
ここで、図１７の状態では仕切棒５１は後方に自由に移動可能であるため、前述の如き棚部材２の引出操作で後方に抜けてしまう危険性があるが、その場合には、図１８の如く挿入孔４８後方に対応する位置に、仕切保持後金具３９と所定の間隔を存して抜け止め壁５２を棚板２２に取り付けることで、係る仕切棒５１の脱落は防止できるようになる。
【００３５】
【発明の効果】
以上詳述した如く本発明によれば、本体内に陳列室を構成し、この陳列室内に商品陳列用の棚部材を架設して成るショーケースにおいて、棚部材は、枠部材と、この枠部材上に取り付けられた棚板と、前部に設けられたガード部材とを備え、枠部材は、前側から両側方まで連続する透孔にて縁取られた係合辺を有すると共に、棚板は、下方に突出し、内部に係合孔が形成された係合突起を有し、当該係合突起を透孔に挿入し、棚板を後方に移動させることで係合辺を係合孔に係脱可能に係合させ、その状態でガード部材と仕切保持前金具を枠部材と棚板前端間に構成される間隔内に挿脱可能に略隙間無く挿入する構造としたので、ネジなどの格別な固定具を用いること無く、棚板を枠部材に取り付けることができるようになる。
【００３６】
そして、その取り付け、取り外し操作も容易であるので、ショーケースの棚部材の組立作業やメンテナンス作業性を著しく改善することができるようになるものである。
【図面の簡単な説明】
【図１】  本発明の実施例のショーケースの縦断側面図である。
【図２】  図１のショーケースの棚部材の平面図である。
【図３】  図１のショーケースの棚部材の正面図である。
【図４】  図１のショーケースの棚部材の側面図である。
【図５】  図４において棚部材を引き出した状態を示す図である。
【図６】  図１のショーケースの引出レールに取り付けられた軸金具の正面図である。
【図７】  図４の棚部材を傾斜させた状態を示す図である。
【図８】  図７において棚部材を引き出した状態を示す図である。
【図９】  図４の棚部材から棚板を取り外した状態の図である。
【図１０】  図９の棚板の係合突起部分の断面図である。
【図１１】  図９の棚部材の係合突起と係合辺部分の平面図である。
【図１２】  図４の棚部材から棚ガード及び仕切保持前金具を取り外した状態の図である。
【図１３】  図４の棚部材に仕切棒を取り付けた状態の図である。
【図１４】  図１３の棚部材の仕切保持後金具及び案内金具の正面図である。
【図１５】  図１３の棚部材の仕切保持前金具の正面図である。
【図１６】  図１３の棚部材の平面図である。
【図１７】  図１３の棚部材の棚板の縦断側面図である。
【図１８】  図１７の棚板に抜け止め壁を取り付けた場合の縦断側面図である。
【符号の説明】
１  ショーケース
２  棚部材
９  陳列室
１６  ブラケット
２１  枠部材
２２  棚板
２４  引出レール
２６  角度調整部材
２６Ａ  フランジ
２７Ａ〜２７Ｃ  角度調整用孔
２８  取付孔
２９  ストッパー
３２  軸金具
３３  回動軸
３６  浮き上がり防止部材
３７  棚ガード
３８  仕切保持前金具
３９  仕切保持後金具
４１  案内金具
４２  透孔
４３  係合辺
４４  係合突起
４６  係合孔
４７、４８  挿入孔
４９  ガイド溝
５１  仕切棒
５２  抜け止め壁
【図１】
0003966741.tif 000002
【図２】
0003966741.tif 000003
【図３】
0003966741.tif 000004
【図４】
0003966741.tif 000005
【図５】
0003966741.tif 000006
【図６】
0003966741.tif 000007
【図７】
0003966741.tif 000008
【図８】
0003966741.tif 000009
【図９】
0003966741.tif 000010
【図１０】
0003966741.tif 000011
【図１１】
0003966741.tif 000012
【図１２】
0003966741.tif 000013
【図１３】
0003966741.tif 000014
【図１４】
0003966741.tif 000015
【図１５】
0003966741.tif 000016
【図１６】
0003966741.tif 000017
【図１７】
0003966741.tif 000018
【図１８】
0003966741.tif 000019